(57)【特許請求の範囲】
【請求項１】
成形金属板が横葺された屋根面又は壁面に屋根傾斜方向又は壁面鉛直方向に対して所定の傾斜角度αで傾斜した状態で取り付けられる化粧瓦棒であり、金属切板の曲げ加工によって成形された所定断面形状をもち、両側面から内方に差込み片が突出しており、差込み片の上端に段差対応辺があり、左右の段差対応辺を結ぶ直線と化粧瓦棒の長手方向との間の角度が前記傾斜角度αに設定されていることを特徴とする傾斜取付け用化粧瓦棒。
【請求項２】
成形金属板の横葺きによって構築された屋根面又は壁面に屋根傾斜方向又は壁面鉛直方向に対して所定の傾斜角度αで取付け金具を介し化粧瓦棒が傾斜状態で取り付けられた化粧瓦棒取付け構造であり、
前記取付け金具は、下段側成形金属板と上段側成形金属板との連結部の隙間に先端が挿し込まれる着座片に挟持片が固着され、挟持片の両側から前記傾斜角度αで挟持腕が折り曲げられ、成形金属板の下端側表面に押圧される押え舌片を一側縁にもつ押え金具が連結ボルトで着座片に連結されており、
前記化粧瓦棒は、金属切板の曲げ加工によって成形された所定断面形状をもち、両側面から内方に差込み片が突出し、差込み片の上端に段差対応辺があり、左右の段差対応辺を結ぶ直線と化粧瓦棒の長手方向との間の角度が前記傾斜角度αに設定されており、
成形金属板の段差部に装着された前記取付け金具の支持稜及び挟持腕で前記化粧瓦棒が内側から支持されることを特徴とする化粧瓦棒取付け構造。
【発明の詳細な説明】
【０００１】
【産業上の利用分野】
本発明は、成形金属板の横葺きによって構築された屋根面や壁面の意匠性を向上させる傾斜取付け可能な化粧瓦棒及びその取付け構造に関する。
【０００２】
【従来の技術】
比較的軽量で強度的にも優れている成形金属板は、躯体に加わる負荷が小さく、釘，ビス等の固着具で容易に固定できるため、一般家屋，公共建築物の屋根板，壁材等に使用されている。
成形金属板を使用する屋根，壁面等の施工では、所定サイズの成形金属板を屋根傾斜面方向又は壁面垂直方向に沿って多段に積み上げ、各段の成形金属板を瓦棒で押さえる横葺き工法が採用されている。瓦棒は、得てして平面的な印象を与えがちな屋根，壁面に変化を付け、建築物の意匠性を向上させる。
従来の瓦棒は、たとえば金属屋根板を敷設した屋根面では、間口に直交する屋根傾斜面方向に沿って多段の金属屋根板にわたって装着される。このような装着形態では、多様化が著しい嗜好に十分対応できない。
【０００３】
【課題を解決するための手段】
本発明は、このような問題を解消すべく案出されたものであり、壁面鉛直方向又は屋根傾斜方向に斜交する方向で化粧瓦棒を取り付けることにより、建築物にアクセントを付け、意匠性の高い建築物を構築することを目的とする。
【０００４】
本発明の傾斜取付け用化粧瓦棒は、その目的を達成するため、成形金属板が横葺された屋根面又は壁面に屋根傾斜方向又は壁面鉛直方向に対して所定の傾斜角度αで傾斜した状態で取り付けられる化粧瓦棒であり、金属切板の曲げ加工によって成形された所定断面形状をもち、両側面から内方に差込み片が突出しており、差込み片の上端に段差対応辺があり、左右の段差対応辺を結ぶ直線と化粧瓦棒の長手方向との間の角度が前記傾斜角度αに設定されていることを特徴とする。
【０００５】
この化粧瓦棒は、屋根傾斜方向又は壁面鉛直方向に対し所定の傾斜角度αで取付け金具を介し傾斜状態で取り付けられる。取付け金具は、下段側成形金属板と上段側成形金属板との連結部の隙間に先端が挿し込まれる着座片に挟持片が固着され、挟持片の両側から前記傾斜角度αで挟持腕が折り曲げられ、成形金属板の下端側表面に押圧される押え舌片を一側縁にもつ押え金具が連結ボルトで着座片に連結されている。取り付けられた化粧瓦棒は、成形金属板の段差部に装着された取付け金具の支持稜及び挟持腕で内側から支持され、断面形状が保形される。
【０００６】
【実施の形態】
本発明に従った化粧瓦棒は、所定形状に裁断された金属切板の曲げ加工によって成形され、需要に応じて将棋駒形状，半円筒状，矩形状等、種々の断面形状をもつ。
図１は、断面形状が将棋駒形状の化粧瓦棒Ａ（図２）となる金属切板１０を、化粧瓦棒Ａの内側方向から見た展開図である。長手方向に延びる左斜面１１Ｌ，右斜面１１Ｒ，左側面１２Ｌ，右側面１２Ｒの間に谷折れ線１３を設定し、谷折れ線１３に沿って斜面１１Ｌ，１１Ｒ，側面１２Ｌ，１２Ｒを折り曲げることにより、将棋駒形状の化粧瓦棒Ａに成形される。図１，２では、横葺きした成形金属板４０（図６）の３段にわたる長さをもつ化粧瓦棒Ａを図示しているが、化粧瓦棒Ａの長さは成形金属板２〜６段の長さにすることが可能である。
【０００７】
側面１２Ｌ，１２Ｒの両側に、差込み片１４Ｌ，１４Ｒ及び載置片１５Ｌ，１５Ｒが形成されている。差込み片１４Ｌ，１４Ｒ及び載置片１５Ｌ，１５Ｒは、谷折れ線１３に沿って一体的に折り曲げられ、側面１２Ｌ，１２Ｒの下端から化粧瓦棒Ａの内方に突出する。載置片１５Ｌ，１５Ｒは、差込み片１４Ｌ，１４Ｒに比較して幅が若干狭くなっている。
差込み片１４Ｌ，１４Ｒ及び載置片１５Ｌ，１５Ｒの合計長さＬは、横葺きした一枚の成形金属板４０の有効長さＬに等しく設定されている。差込み片１４Ｌ，１４Ｒの端部に、横葺きした成形金属板４０の段差に等しい幅ｗで段差対応辺１６Ｌ，１６Ｒが形成されている。左段差対応辺１６Ｌと右段差対応辺１６Ｒとを結ぶ直線Ｉ−Ｉは、金属切板１０の長手方向に対して所定の傾斜角度αで傾斜している。傾斜角度αは、横葺きされた成形金属板４０に化粧瓦棒Ａを取り付けたとき、屋根傾斜方向又は壁面鉛直方向に対する化粧瓦棒Ａの傾斜角度となる。
【０００８】
金属切板１０の下端には、複数の折返し部１７が形成されている。折返し部１７は、斜面１１Ｌ，１１Ｒ，側面１２Ｌ，１２Ｒに添うように折り返され、化粧瓦棒Ａの下端を補強する。折返し部１７の折返しによって形成される化粧瓦棒Ａの下端縁も、化粧瓦棒Ａの長手方向に対して傾斜角度αで傾斜している。
金属切板１０の下端側方には掴み片１８Ｌ，１８Ｒが形成されている。掴み片１８Ｌ，１８Ｒは、谷折れ線１３に沿って折り返すと化粧瓦棒Ａの内方に突出し、複数の化粧瓦棒Ａを連結する際に下段化粧瓦棒Ａの上部を包み込む。
谷折れ線１３に沿って各部を折り曲げることにより成形した化粧瓦棒Ａは、図２（ａ）の斜視図で示すように、左右の側面１２Ｌ，１２Ｒから差込み片１４Ｌ，１４Ｒ，載置片１５Ｌ，１５Ｒが内方に突出している。差込み片１４Ｌ，１４Ｒは上から下に向かって幅が広がっており、幅が最も狭くなっている差込み片１４Ｌ，１４Ｒの上端に段差対応辺１６Ｌ，１６Ｒが位置する。
【０００９】
図２（ａ）の化粧瓦棒Ａでは、差込み片１４Ｌ，１４Ｒの上端から段差対応辺１６Ｌ，１６Ｒが降りているが、段差対応辺１６Ｌ，１６Ｒを超えて差込み片１４Ｌ，１４Ｒを突出させ、差込み舌片１９Ｌ，１９Ｒとすることもできる（図２ｂ）。差込み舌片１９Ｌ，１９Ｒは、成形金属板４０を横葺きした屋根面又は壁面に化粧瓦棒Ａを取り付けるとき、下段側成形金属板４０ｄと上段側成形金属板ｕとの間に差し込まれ（図５）、化粧瓦棒Ａの強固な取付けを可能にする。
また、化粧瓦棒Ａの内側に斜面１１Ｌ，１１Ｒ、側面１２Ｌ，１２Ｒと同一形状に成形した内挿板Ｃ（図２ｃ）を嵌め込むと、化粧瓦棒Ａの強度が向上し、形状の崩れが防止される。内挿板Ｃをステンレス鋼板で作製すると、化粧瓦棒Ａの耐食性も向上する。
【００１０】
化粧瓦棒Ａの取付けには専用の取付け金具Ｂが使用される。この取付け金具Ｂは、図３の分解斜視図に示すように、着座片２１に挟持片２２をリベット，ボルト等の固着具で固定し、押え金具２３を連結ボルト２４で着座片２１に連結した構造をもっている。
着座片２１は断面がほぼＬ型で、着座面２１ａと固着面２１ｂとの間の面角度が直角に設定され、着座面２１ａ／固着面２１ｂの角部と着座面２１ａの両側部との間が傾斜角度αに設定されている。挟持片２２の固着面２２ａに面接触する固着面２１ｂに開口部２１ｃが穿設され、開口部２１ｃからＬ型先端側に隆起部２１ｄが形成されている。着座片２１の固着面２１ｂに挟持片２２の固着面２２ａを位置合せして固着するとき、固着面２１ｂと固着面２２ａとの間に差込空間２２ｂが形成される。
【００１１】
着座面２１ａの先端は、僅かな傾斜角度で立ち上がった弾力付与部２１ｅになっている。弾力付与部２１ｅは、屋根，壁面等に横葺きされた成形金属板４０ｕ，４０ｄ（図５）の間に差し込むと弾性復元し、差込み状態を安定化させる。着座面２１ａのほぼ中央に矩形状のボルト挿通用開口２１ｆが穿設されており、ボルト挿通用開口２１ｆの周辺が盛り上がった補強部２１ｇになっている。
挟持片２２は、着座片２１の固着面２１ｂに固定される固着面２２ａの輪郭が化粧瓦棒を内側から支持する支持稜２２ｃになっている。支持稜２２ｃは、化粧瓦棒の断面形状に対応する形状に成形されており、たとえば図１，２の化粧瓦棒Ａの化粧瓦棒を使用した施工では図示する五角形に成形されている。
【００１２】
固着面２２ａの両側から挟持腕２２ｄが折り曲げられている。固着面２２ａと挟持腕２２ｄとの間の面角度は化粧瓦棒Ａの傾斜角度αに等しく設定されている。挟持腕２２ｄは、必要に応じて化粧瓦棒を固着するための固着具挿通用長孔２２ｅが先端近傍に穿設され、幅広の挟持腕２２ｆとすることもできる。
押え金具２３は、隣り合う辺の間の角度が傾斜角度αに設定された平行四辺形状に成形されており、一方の縁部から突出した部分を折り曲げて係止突片２３ａとし、他方の縁部を反対方向に折り曲げて押え舌片２３ｂを形成している。押え金具２３のほぼ中央にボルト挿通用の長孔２３ｃが形成されており、長孔２３ｃの周囲が補強及び弾力付与用に盛り上げられた隆起部２３ｄになっている。押え舌片２３ｂには、成形金属板４０を弾力付与部２１ｅとの間で挟みつける際に弾性変形し、成形金属板の疵付きを防止する合成樹脂製のキャップ２３ｅを必要に応じて装着することもできる。
【００１３】
取付け金具Ｂは、押え金具２３の係止突片２３ａを着座片２１の開口部２１ｃに差込み、挟持片２２の固着面２２ａと着座片２１隆起部２１ｄとの間に係止突片２３ａを挟んだ後、ボルト挿通用開口２１ｆ及び長孔２３ｃに連結ボルト２４を挿し込み、ワッシャ２５を装着してナット２６を嵌め合わせることによって組み立てられる。連結ボルト２４は、ボルトヘッド２４ａから矩形状の回転規制部２４ｂを介してネジ付き脚部２４ｃが突出している。回転規制部２４ｂは、矩形状のボルト挿通用開口２１ｆに嵌まり込み、連結ボルト２４を回り止めする。連結ボルト２４に嵌めたナット２６を回転させると、ネジ付き脚部２４ｃのねじ山がナット２６の雌ネジと噛み合って押え金具２３が着座片２１方向に付勢される。組み立てられた取付け金具Ｂを、図４に正面図（ａ），平面図（ｂ）及び側面図（ｃ）でそれぞれ示す。
【００１４】
取付け金具Ｂを用いて化粧瓦棒Ａが取り付けられる屋根面又は壁面は、成形金属板４０の横葺きによって構築されている。具体的には、図５に示すように躯体３０に固着したブラケット３１で金属製タルキ３２を支持することにより、壁面基礎を構築する。防水シート３３を金属製タルキ３２に張設した後、成形金属板４０を垂直方向に多段に取り付けている。
成形金属板４０としては、曲げ加工によって一枚の金属切板を所定形状（たとえば図６ａ）に成形したものが使用される。図６の成形金属板４０は、折返し部４１を上縁に形成し、釘，リベット，ボルト等の固着具で成形金属板４０を金属製タルキ３２に固着するための平坦部４２が折返し部４１の下方に設けられている。平坦部４２の下方を屈曲して係止突条４３が形成され、係止突条４３の下方が有効働き面４４となる。有効働き面４４の下端は折返し部４１と逆方向に折り返され、嵌合受け部４５が形成されている。このような形状をもつ金属屋根板は本発明者が特開平７−３１７２２９号公報で紹介したものであるが、同様な方法で壁面用の成形金属板４０を作製できる。
【００１５】
平坦部４２を貫通する固着具で下段側成形金属板４０ｄを金属製タルキ３２に固着した後、下段側成形金属板４０ｄの係止突条４３に上段側成形金属板４０ｕの嵌合受け部４５を嵌め合わせ、上段側成形金属板４０ｕの平坦部４２を貫通する固着具で上段側成形金属板４０ｕを金属製タルキ３２に固着する。この作業を垂直上方に繰り返すことにより、垂直方向に多段に積み上げられた壁面（図６ｂ）が構築される。
複数の成形金属板４０が横葺きされた壁面では、嵌合受け部４５の幅が各段の段差ｗとなる。この段差ｗに等しくなるように、化粧瓦棒Ａの段差対応辺１６Ｌ，１６Ｒの幅が設定されている。また、係止突条４３から下縁までの長さが成形金属板４０の有効長さＬとなるが、この有効長さＬに等しくなるように化粧瓦棒Ａの差込み片１４Ｌ．１４Ｒ及び載置片１５Ｌ，１５Ｒの合計長さが設定されている。
【００１６】
成形金属板４０の横葺きによって構築された壁面に対し、次の手順で化粧瓦棒Ａが取り付けられる。
先ず、下段側成形金属板４０ｄの有効働き面４４と上段側成形金属板４０ｕの嵌合受け部４５との隙間に、係止突条４３に当接するまで取付け金具Ｂの弾力付与部２１ｅを差し込み、ナット２６を連結ボルト２４に締め付ける（図３ｃ）。ナット２６の締付けによって押え舌片２３ｂが成形金属板４０の有効働き面４４に押し付けられ、係止突条４３及び嵌合受け部４５を弾力付与部２１ｅと押え舌片２３ｂとの間で挟みつけることによって取付け金具Ｂが固着される。
着座面２１ａの先端に形成されている弾力付与部２１ｅが着座面２１ａの側縁に対して傾斜角度αで傾斜しているため、固着された取付け金具Ｂの挟持腕２２ｄは、成形金属板４０の上辺，下辺に対して傾斜角度αで傾斜する。
【００１７】
壁面の鉛直方向に関して所定の傾斜角度αで且つ所定の段差間隔で複数の取付け金具Ｂを成形金属板４０に固着した後、化粧瓦棒Ａの左側挿し込み片１４Ｌと右側挿し込み片１４Ｒとの間を開きながら取付け金具Ｂに被せ、差込み片１４Ｌ，１４Ｒが挟持腕２２ｄを乗り越えた時点で力を解除すると、弾性復元力によって左右の差込み片１４Ｌ，１４Ｒが成形金属板４０の有効働き面４４と挟持腕２２ｄとの隙間に嵌まり込む。
嵌め合せに際しては、上段成形金属板４０と下段成形金属板４０との合せ目に化粧瓦棒Ａの段差対応辺１６Ｌ，１６Ｒを一致させ、成形金属板４０の段差に段差対応辺１６Ｌ，１６Ｒを一致させる。その結果、化粧瓦棒Ａは、多段敷設されている成形金属板４０との間に隙間が生じることなく成形金属板４０に取り付けられる。
【００１８】
成形金属板４０に取り付けられた化粧瓦棒Ａは、ビス，ボルト等の固着具を側面１２Ｌ，１２Ｒに貫通させて長孔２２ｅに挿し込み固定することによって壁面に強固に固着される。固着具のない個所でも挟持腕２２ｄと成形金属板４０の有効働き面４４との間で化粧瓦棒Ａが強固に固定されることから、成形金属板４０の各段で固着具を使用する必要はなく、複数段間隔で化粧瓦棒Ａを固着具によって固定すれば十分である。また、幅広の挟持腕２２ｆをもつ取付け金具Ｂを使用するとき、挟持腕２２ｆと有効働き面４４との間にできる僅かな隙間で差込み片１４Ｌ，１４Ｒが挟持されるため、化粧瓦棒Ａの固着状態が一層安定化する。
【００１９】
装着された下段側化粧瓦棒Ａの上端に上段側化粧瓦棒Ａの下端を被せた状態で上下方向に化粧瓦棒Ａを連接した後、左右の差込み片１４Ｌ，１４Ｒを拡げながら取付け金具Ｂに被せ、同様な方法によって成形金属板４０の有効働き面４４と挟持腕２２ｄとの隙間に差込み片１４Ｌ，１４Ｒを挿し込み、上段側化粧瓦棒Ａを壁面に固定する。化粧瓦棒Ａが内側から挟持腕２２ｆで支持されるため、化粧瓦棒Ａの取付け状態が安定化する。
化粧瓦棒Ａの段差対応辺１６Ｌ，１６Ｒの間に角度αを付けているため、壁面鉛直方向に対して同じ角度αで傾斜した状態で壁面に化粧瓦棒Ａが取り付けられる。また、左右の段差対応辺１６Ｌ，１６Ｒを傾斜角度αで傾斜させている（図１ｂ）ことから、化粧瓦棒Ａと成形金属板４０との間に隙間が生じない。
【００２０】
以上の取付け金具Ｂ及び化粧瓦棒Ａでは、左方向に傾斜する化粧瓦棒Ａの取付けに使用される。右方向に傾斜した化粧瓦棒Ａを取り付ける場合、図１，２で角度αを逆方向に設定した化粧瓦棒Ａ及び図３，４で角度αを逆方向に設定した取付け金具Ｂが使用される。化粧瓦棒Ａの傾斜方向を適宜変更することにより、化粧瓦棒Ａが左右に傾斜した極めて識別性の高い壁面（図７）が構築される。
【００２１】
【発明の効果】
以上に説明したように、本発明の化粧瓦棒は、壁面や屋根面に対して斜めに取り付けられるため、壁面や屋根面に強いアクセントを付与でき、成形金属板の横葺きに見られがちな平坦な印象がなくなる。また、化粧瓦棒の傾斜方向や化粧瓦棒が傾斜した部分等を任意に変えることができ、建築物の使用者の嗜好に合った壁面や屋根面が得られる。
【図面の簡単な説明】
【図１】  本発明に従った化粧瓦棒を作製するための金属切板の展開図（ａ）及び化粧瓦棒の底面図（ｂ）
【図２】  化粧瓦棒の斜視図（ａ）及び差込み舌片を付けた化粧瓦棒の部分斜視図（ｂ）
【図３】  化粧瓦棒の取付け用金具を示す分解斜視図
【図４】  同取付け金具の正面図（ａ），平面図（ｂ）及び側面図（ｃ）
【図５】  化粧瓦棒を取り付けた壁の断面図
【図６】  成形金属板の斜視図（ａ）及び成形金属板を横葺きした壁面の斜視図（ｂ）
【図７】  化粧瓦棒を斜めに取り付けた壁面をもつ建築物の一例
【符号の説明】
Ａ：化粧瓦棒    Ｂ：取付け金具    α：傾斜角度
１０：金属切板    １４Ｌ，１４Ｒ：差込み片    １６Ｌ，１６Ｒ：段差対応辺
１８Ｌ，１８Ｒ：掴み片    １９Ｌ，１９Ｒ：差込み舌片
２１：着座片    ２２：挟持片    ２２ｃ：支持稜    ２２ｄ，２２ｆ：挟持腕
２３：押え金具    ２３ｂ：押え舌片    ２４：連結ボルト    ２６：ナット
４０，４０ｄ，４０ｕ：成形金属板    ４３：係止突条    ４４：有効働き面
４５：嵌合受け部
【図１】
0004610775.tif 000002
【図２】
0004610775.tif 000003
【図３】
0004610775.tif 000004
【図４】
0004610775.tif 000005
【図５】
0004610775.tif 000006
【図６】
0004610775.tif 000007
【図７】
0004610775.tif 000008